(57)【要約】【課題】現在の交通状況等に即した投稿情報を出力すること、又は、ユーザ（人）の現在の感性に対してリアルタイム感のある投稿情報を出力する投稿システム及び投稿システム用クライアント端末を提供する。【解決手段】クライアント端末１２、１２Ａ、１２Ｂの情報種別付与部５０Ｂが、ユーザからの投稿情報Ｉｐを情報種別Ｘと紐づけ、これをサーバ１０の投稿情報管理部４２が、記憶部３８に記憶（記録）した後、投稿情報管理部４２は、投稿情報Ｉｐの情報種別Ｘに応じた既定の保存期限Ｔｒに基づいて（ステップＳ２５）、種別付き投稿情報Ｉｐｘ（投稿情報Ｉｐ）の消去（ステップＳ２６）を行う。【選択図】図１３
2015036880.tif 000002
【特許請求の範囲】
【請求項１】
ユーザからの投稿情報を受け付け、又は前記ユーザに対して別のユーザの投稿情報を提供するクライアント端末と、前記投稿情報を管理するサーバとからなる投稿システムであって、
前記クライアント端末は、
前記ユーザからの投稿情報を受け付ける投稿情報受付部と、
前記投稿情報に対して情報種別を紐づけ、種別付き投稿情報を生成する情報種別付与部と、
前記種別付き投稿情報を前記サーバに送信するクライアント側送信部と、
前記サーバより別のユーザの種別付き投稿情報を受信するクライアント側受信部と、
前記別のユーザの投稿情報を出力する投稿情報出力部と、を備え、
前記サーバは、
前記クライアント端末から前記種別付き投稿情報を受信するサーバ側受信部と、
前記種別付き投稿情報を管理し、記憶する投稿情報管理記憶部と、
前記別のユーザの前記種別付き投稿情報を送信するサーバ側送信部と、を備え、
前記投稿情報管理記憶部は、
前記種別付き投稿情報の情報種別に応じた保存期限に基づいて、前記種別付き投稿情報の消去を行う
ことを特徴とする投稿システム。
【請求項２】
請求項１に記載の投稿システムにおいて、
前記情報種別は、「気持ち」に関する種別と、「思い出」に関する種別とからなり、
前記投稿情報管理記憶部は、情報種別「気持ち」よりも情報種別「思い出」の保存期限を長く設定する
ことを特徴とする投稿システム。
【請求項３】
請求項１に記載の投稿システムにおいて、
前記情報種別は、「交通集中情報」に関する種別と、「道路工事情報」に関する種別とからなり、
前記投稿情報管理記憶部は、前記「交通集中情報」よりも前記「道路工事情報」の保存期限を長く設定する
ことを特徴とする投稿システム。
【請求項４】
ユーザからの投稿情報を受け付け、又は前記ユーザに対して別のユーザの投稿情報を提供する投稿システム用クライアント端末であって、
ユーザからの投稿情報を受け付ける投稿情報受付部と、
前記投稿情報に対して情報種別を紐づけ、種別付き投稿情報を生成する投稿情報種別付与部と、
前記種別付き投稿情報をサーバに送信するクライアント側送信部と、
前記サーバより別のユーザの種別付き投稿情報を受信するクライアント側受信部と、
前記別のユーザの投稿情報を出力する投稿情報出力部と、を備え、
前記投稿情報出力部は、前記投稿情報の情報種別に応じた出力期限に基づいて、出力期限を満たす投稿情報を表示し、音声出力する
ことを特徴とする投稿システム用クライアント端末。
【請求項５】
請求項１〜３のいずれか１項に記載の前記クライアント端末又は請求項４に記載の前記投稿システム用クライアント端末を車載端末に接続し、前記投稿情報を前記車載端末の車載ディスプレイに表示し、車載スピーカから音声出力する
ことを特徴とする車両用投稿システム。
【発明の詳細な説明】
【技術分野】
【０００１】
この発明は、ユーザからの投稿情報を受け付け、又は前記ユーザに対して別のユーザの投稿情報を提供するクライアント端末と、前記投稿情報を管理するサーバとからなる投稿システム及び投稿システム用クライアント端末に関する。
【背景技術】
【０００２】
近時、スマートフォン等のクライアント端末と車載のディスプレイオーディオ装置等の車載用表示装置とを連係させ、前記クライアント端末が、外部のサーバから受信した他のユーザの投稿情報（つぶやき情報等）を、前記投稿情報の投稿元を示す位置情報で特定される地図上に表示させるように構成した情報表示システムが提案されている（特許文献１の［００２３］、［００２４］、［００３８］）。
【０００３】
この情報表示システムでは、前記投稿情報が、交通、天気等の種別に分類され、分類された種別に応じた赤色の吹き出し表示、白色の吹き出し表示等の表示形式で、前記位置情報で特定される地図上に重畳表示される（特許文献１の［００３３］）。
【先行技術文献】
【特許文献】
【０００４】
【特許文献１】特開２０１１−２４７８３１号公報
【発明の概要】
【発明が解決しようとする課題】
【０００５】
前記投稿情報は、サーバに記憶され保存されている。
【０００６】
しかしながら、交通集中情報等が長期間残っている場合に、その交通集中情報を表示装置上で視認したユーザが、実際には古い交通集中情報でありながらその情報を信じてしまうことがあり、その場合には、現在の交通状況に即していないという課題がある。
【０００７】
また、つぶやき情報が長期間残っている場合には、そのつぶやきを聞いてもリアルタイム感がないという課題もある。
【０００８】
この発明はこのような課題を考慮してなされたものであり、現在の交通状況等に即した投稿情報を出力すること、又、交通状況以外の投稿情報であってもユーザ（人）の感性に適合してリアルタイム感のある投稿情報を出力することを可能とする投稿システム及び投稿システム用クライアント端末を提供することを目的とする。
【課題を解決するための手段】
【０００９】
この発明に係る投稿システムは、ユーザからの投稿情報を受け付け、又は前記ユーザに対して別のユーザの投稿情報を提供するクライアント端末と、前記投稿情報を管理するサーバとからなる投稿システムであって、前記クライアント端末は、前記ユーザからの投稿情報を受け付ける投稿情報受付部と、前記投稿情報に対して情報種別を紐づけ、種別付き投稿情報を生成する情報種別付与部と、前記種別付き投稿情報を前記サーバに送信するクライアント側送信部と、前記サーバより別のユーザの種別付き投稿情報を受信するクライアント側受信部と、前記別のユーザの投稿情報を出力する投稿情報出力部と、を備え、前記サーバは、前記クライアント端末から前記種別付き投稿情報を受信するサーバ側受信部と、前記種別付き投稿情報を管理し、記憶する投稿情報管理記憶部と、前記別のユーザの前記種別付き投稿情報を送信するサーバ側送信部と、を備え、前記投稿情報管理記憶部は、前記種別付き投稿情報の情報種別に応じた保存期限に基づいて、前記種別付き投稿情報の消去を行う。
【００１０】
この発明によれば、ユーザからの投稿情報を情報種別と紐づけて記憶（記録）し、投稿情報管理記憶部は、前記投稿情報の情報種別に応じた既定の保存期限に基づいて、前記種別付き投稿情報の消去を行うようにしたので、現在の交通状況等に即しない、且つ、ユーザ（人）の現在の感性に適合しない投稿情報が消去される確率が高くなる結果、現在の交通状況等に即した投稿情報を出力すること、又は、ユーザ（人）の現在の感性に適合してリアルタイム感のある投稿情報を出力することができる。
【００１１】
例えば、前記情報種別を、「気持ち」に関する種別と、「思い出」に関する種別とした場合、前記投稿情報管理記憶部は、情報種別「気持ち」よりも情報種別「思い出」の保存期限を長く設定することで、刹那的（瞬間）の「気持ち」（物事に対して感ずる心のあり方）の情報種別を紐付けた投稿情報は相対的に早めに消去されて表示及び音声出力されなくなる一方、「思い出」（後々まで思い出しても楽しくなること）の情報種別を紐づけた投稿情報は相対的に長い時間・期間保存されるので、いつまでも表示し、音声出力をすることができる。
【００１２】
同様に、前記情報種別を、「交通集中情報」に関する種別と、「道路工事情報」に関する種別とした場合、前記投稿情報管理記憶部は、情報種別「交通集中情報」よりも情報種別「道路工事情報」の保存期限を長く設定することで、一時的に発声する「交通集中情報」は相対的に早めに消去されることとなり、その一方、期間終了までの期間が相対的に長い「道路工事情報」は比較的に長い時間・期間の間、表示し、音声出力をすることができる。
【００１３】
この発明に係る投稿システム用クライアント端末は、ユーザからの投稿情報を受け付け、又は前記ユーザに対して別のユーザの投稿情報を提供する投稿システム用クライアント端末であって、ユーザからの投稿情報を受け付ける投稿情報受付部と、前記投稿情報に対して情報種別を紐づけ、種別付き投稿情報を生成する投稿情報種別付与部と、前記種別付き投稿情報をサーバに送信するクライアント側送信部と、前記サーバより別のユーザの種別付き投稿情報を受信するクライアント側受信部と、前記別のユーザの投稿情報を出力する投稿情報出力部と、を備え、前記投稿情報出力部は、前記投稿情報の情報種別に応じた出力期限に基づいて、出力期限を満たす投稿情報を表示し、音声出力するように構成したので、現在の状況に即しない、且つ、ユーザ（人）の現在の感性に適合しない投稿情報が出力されない確率が高くなる結果、現在の交通状況等に即した投稿情報、又は、ユーザ（人）の現在の感性に適合した投稿情報を表示し、音声出力することができる。
【００１４】
この場合、前記クライアント端末又は前記投稿システム用クライアント端末を車載端末に接続し、前記投稿情報を車載ディスプレイで表示し、車載スピーカで音声出力する構成にすれば、車両の運転手等の乗員ユーザは、投稿情報を、一般には、クライアント端末に比較して広い画面で且つクリアな音声で視聴することが可能な車両用投稿システムを構築できる。
【発明の効果】
【００１５】
この発明によれば、ユーザからの投稿情報を情報種別と紐づけて記憶（記録）し、投稿情報管理記憶部は、前記投稿情報の情報種別に応じた既定の保存期限に基づいて、前記種別付き投稿情報の消去を行うようにしたので、現在の交通状況等に即しない、且つ、ユーザ（人）の現在の感性に適合しない投稿情報が消去される確率が高くなる結果、現在の交通状況等に即した投稿情報を出力すること、又は、ユーザ（人）の現在の感性に適合したリアルタイム感のある投稿情報を出力することができるという効果が達成される。
【図面の簡単な説明】
【００１６】
【図１】この発明の実施形態に係る投稿システムの概略構成を示すブロック図である。
【図２】図１に示した投稿システムの模式的な構成説明図である。
【図３】車両のダッシュボードに装着された車載端末等を示すインテリア模式図である。
【図４】情報種別判別・保存期限表を示す表図である。
【図５】投稿処理（録音処理）の動作説明に供されるシーケンス図兼用フローチャートである。
【図６】クライアント端末（車載端末）のトップ画面の説明図である。
【図７】投稿録音中の録音画面の説明図である。
【図８】クライアント端末（車載端末）のあしおと録音画面（シーン選択画面）の説明図である。
【図９】つぶやき選択時のあしおと録音画面の説明図である。
【図１０】交通情報選択時のあしおと録音画面の説明図である。
【図１１】スポット選択時のあしおと録音画面の説明図である。
【図１２】情報種別を識別（判定）するためのアイコンの説明図である。
【図１３】サーバでの投稿情報の消去処理の動作説明に供されるフローチャートである。
【図１４】投稿情報の音声再生処理の動作説明に供されるシーケンス図兼用フローチャートである。
【図１５】地図上に投稿情報再生ボタン（あしおと再生ボタン）が表示されたトップ画面の説明図である。
【発明を実施するための形態】
【００１７】
以下、この発明に係る投稿システム及び投稿システム用クライアント端末について好適な実施形態を挙げ、添付の図面を参照して詳細に説明する。
【００１８】
図１は、ユーザからの投稿情報Ｉｐを受け付け、又は前記ユーザに対して別のユーザの投稿情報Ｉｐを提供するこの実施形態に係る投稿システム用クライアント端末としてのクライアント端末１２、１２Ａ、１２Ｂと、投稿情報Ｉｐ（実際には、後述する種別付き投稿情報Ｉｐｘ）を記憶し管理するサーバ１０と、クライアント端末１２、１２Ａに接続される車載端末１４、１４Ａと、を含むこの実施形態に係る投稿システム１６の構成を示すブロック図である。
【００１９】
クライアント端末１２、１２Ａ、１２Ｂとしては、この実施形態では、投稿システムアプリケーションをインストールしたスマートフォンを利用しているが、これに限らず、投稿システムアプリケーションをインストールしたタブレット端末等のネットワーク２６を介してサーバ１０にアクセス可能な携帯端末であればよい。
【００２０】
図２は、投稿システム１６のより一般的な模式的な構成説明図である。
【００２１】
図３は、車両１８のダッシュボード２０に装着されている直方体状の車載端末１４と、ダッシュボードトレイ２４上に運転者等のユーザにより置かれたクライアント端末１２とを示すインテリア模式図である。
【００２２】
図２に示すように、投稿システム１６は、インターネット等のネットワーク２６を介して、サーバ１０と、車両１８、１８Ａ内にユーザにより持ち込まれたクライアント端末１２、１２Ａ及び車両１８外でユーザに携帯されるクライアント端末１２Ｂが相互に接続される。
【００２３】
このようにクライアント端末１２、１２Ａ、１２Ｂは、クライアント端末１２、１２Ａのように車載端末１４、１４Ａに接続して利用することも可能であり、クライアント端末１２Ｂとして単独で利用することも可能である。もちろん、クライアント端末１２、１２Ａを車載端末１４に接続しないで車両１８内で利用することも可能である。
【００２４】
以下、基本的には、ネットワーク２６を介して相互に接続される、サーバ１０と、車両１８内に持ち込まれ車載端末１４に接続されたクライアント端末１２を例として説明し、必要に応じてその他のクライアント端末１２Ａ、１２Ｂについても説明する。
【００２５】
図２に示す車両１８内のクライアント端末１２に接続される車載端末（車載表示・音声再生装置）１４は、表示部である車載ディスプレイ３０を備えると共に、音声出力部としての車載スピーカ１５６に接続される。なお、車載ディスプレイ３０は、車載操作部としてのタッチパネル方式が採用されたタッチパネル１５８としても兼用されている。
【００２６】
車載端末１４とクライアント端末１２とが、近距離通信インタフェースであるｂｌｕｅｔｏｏｔｈ（登録商標）等の機能を有する通信インタフェース６２、７２（図１参照）を介して相互に接続状態にあるとき、クライアント端末１２のマイクロフォン（マイク）５２、ディスプレイ５４（操作部としてのタッチパネル方式が採用されたタッチパネル（ＴＰ）５８としても兼用されている。）、及びスピーカ５６はオフ状態にされる。この場合、これらに代替して車載マイクロフォン（車載マイク）１５２、タッチパネル式の車載ディスプレイ３０、及び車載スピーカ１５６がオン状態とされて使用に供される。なお、車載端末１４とクライアント端末１２との接続は、ＵＳＢ（Ｕｎｉｖｅｒｓａｌ  Ｓｅｒｉａｌ  Ｂｕｓ）やＨＤＭＩ（登録商標）を利用した有線接続であってもよい。
【００２７】
車載端末１４のＥＣＵ（Ｅｌｅｃｔｒｏｎｉｃ  Ｃｏｎｔｒｏｌ  Ｕｎｉｔ）７４は、ＥＣＵ５０に投稿情報アプリケーションがインストールされているときには、投稿情報Ｉｐの入出力インタフェースとして機能する。
【００２８】
図３に示すように、車載ディスプレイ３０は、車載端末１４の筐体の正面部に配置され、車載スピーカ１５６は、フロントドアの両サイドのキックパネル等に取り付けられる。また、車載マイクロフォン１５２は、図示はしないが、フロントウインドシールドに配置されたバックミラーの上方のルーフ部等に取り付けられる。
【００２９】
この実施形態において、車両１８は、右ハンドル車であり、車載ディスプレイ３０は、水平方向に延びるダッシュボード２０の概ね中央位置に配置され、例えば、運転席３９に着座した運転者（不図示）のハンドル４１から離された左手の指先によりタッチ操作及びスライド操作・フリック操作等が可能になっている。車載端末１４は、ディスプレイオーディオ装置等と称される。なお、ユーザからの投稿情報Ｉｐは、車両１８の車載マイクロフォン１５２を通じてユーザの音声により投稿情報受付部５０Ａに供給（投稿）される。
【００３０】
図１に示した投稿システム１６において、サーバ１０は、クライアント端末１２（ユーザ）等から種別付き投稿情報Ｉｐｘを受信するサーバ側受信部としての受信部４０と、クライアント端末１２等からの種別付き投稿情報Ｉｐｘを記憶する記憶部（記憶装置）３８と、種別付き投稿情報Ｉｐｘを管理し、種別付き投稿情報Ｉｐｘの情報種別Ｘに応じた保存期限Ｔｒに基づいて、種別付き投稿情報Ｉｐｘの消去を行う制御装置（コンピュータ）としての投稿情報管理部４２と、投稿情報管理部４２の管理制御下に、クライアント端末１２Ａ、１２Ｂ（別のユーザの端末）の種別付き投稿情報Ｉｐｘをクライアント端末１２（ユーザ）に送信するサーバ側送信部としての送信部４４と、を備える。
【００３１】
一方、クライアント端末１２（ユーザの端末）は、ＥＣＵ５０を有する。ＥＣＵ５０は、マイクロコンピュータを含む計算機であり、ＣＰＵ（中央処理装置）、メモリであるＲＯＭ（ＥＥＰＲＯＭも含む。）、ＲＡＭ（ランダムアクセスメモリ）、その他、Ａ／Ｄ変換器、Ｄ／Ａ変換器等の入出力装置、計時部としてのタイマ等を有しており、ＣＰＵがＲＯＭに記憶（記録）されているプログラム（投稿システムアプリケーション等）を読み出し実行することで各種機能実現部（機能実現手段）、例えば制御部、演算部、及び処理部等として機能する。
【００３２】
この実施形態において、ＥＣＵ５０は、上記した投稿情報受付部５０Ａの他、情報種別付与部５０Ｂ、及び投稿情報出力部５０Ｃ等として機能する。
【００３３】
投稿情報受付部５０Ａは、ユーザから車載マイクロフォン１５２から通じ、ＥＣＵ７４、及び通信インタフェース７２、６２を介して供給される投稿情報Ｉｐ（音声のみからなる情報であるので、音声情報Ｉａともいう。）を受け付ける。クライアント端末１２単独利用の場合には、マイクロフォン５２からの投稿情報Ｉｐを受け付ける。
【００３４】
情報種別付与部５０Ｂは、投稿情報受付部５０Ａが受け付けた投稿情報Ｉｐに対して、記憶部５０Ｄに投稿情報アプリケーションにより記憶された情報種別判別・期限表（情報種別判別・保存期限表）６０を参照して情報種別Ｘを紐付け、種別付き投稿情報Ｉｐｘを生成する。
【００３５】
この実施形態において、投稿情報Ｉｐの情報種別Ｘは、後述するように、ユーザによる車載ディスプレイ３０のタッチパネル１５８上に表示された情報種別ボタンの押下に対応して、情報種別付与部５０Ｂが、図４に示す情報種別判別・期限表６０を参照して、［詳細分類］に対応する情報種別Ｘ（Ｘ＝Ｘｆ、Ｘｍ、Ｘｔ、Ｘｃ、Ｘｓ）を付与する。
【００３６】
情報種別判別・期限表６０は、クライアント端末１２、１２Ａ、１２Ｂの記憶部５０Ｄの他、サーバ１０の記憶部３８にも格納されている。
【００３７】
図４に示すように、情報種別判別・期限表６０において、情報種別Ｘは、「つぶやき」、「交通」、「スポット」の３つに［大分類］に分けられている。
【００３８】
［大分類］中、「つぶやき」は、［詳細分類］として「気持ち」（情報種別Ｘｆ）と、「思い出」（情報種別Ｘｍ）に分類される。
【００３９】
なお、保存期限Ｔｒは、例えば、別のユーザのクライアント端末１２Ａの投稿情報受付部５０Ａにて投稿情報Ｉｐを受け付けた（投稿情報Ｉｐが生成された）時から、ユーザのクライアント端末１２のディスプレイ５４又は車載ディスプレイ３０の地図上へのアイコンｉｃを含む、あしおと再生ボタン（後述）の表示期限であり、あしおと音声再生（後述）の音声出力期限を示している。
【００４０】
「気持ち」（情報種別Ｘｆ）の保存期限Ｔｒは、１［日］に設定され、「思い出」（情報種別Ｘｍ）の保存期限Ｔｒは、１０［年］に、それぞれデフォルト値として設定される。
【００４１】
［大分類］中、「交通」は、［詳細分類］として、渋滞や混雑等、車両が込んでいることを表す「交通集中」（情報種別Ｘｔ）と、「道路工事」（情報種別Ｘｃ）に分類される。
【００４２】
「交通集中」（情報種別Ｘｔ）の保存期限Ｔｒは、３０［分］に設定され、道路工事（情報種別Ｘｃ）の保存期限Ｔｒは、１日に、それぞれデフォルト値として設定される。
【００４３】
なお、情報種別Ｘｔの「交通集中」は、「渋滞」の情報種別Ｘｔｊと「混雑」の情報種別Ｘｔｋに分けて、３０［分］と一律ではなく、それぞれ、デフォルト値を、数時間と３０分に分けて設定する等、人の感性を考慮してより細かく設定することもできる。
【００４４】
［大分類］と［詳細分類］が同一の「スポット」（情報種別Ｘｓ）は、保存期限Ｔｒが、１０［年］に設定される。なお、「スポット」とは店等の施設情報を示す。
【００４５】
この情報種別判別・保存期限表６０には、後に、図１２を参照して説明する各情報種別Ｘに対応する各アイコンｉｃも画像データとして記憶されている。
【００４６】
再び図１において、クライアント端末１２、１２Ａ、１２Ｂは、さらに、情報種別付与部５０Ｂにて生成した種別付き投稿情報Ｉｐｘを、ネットワーク２６を通じてサーバ１０に送信するクライアント側送信部としての送信部７６と、サーバ１０よりネットワーク２６を通じて別のユーザ（クライアント端末１２Ａ、クライアント端末１２Ｂ）の種別付き投稿情報Ｉｐｘを受信するクライアント側受信部としての受信部７８と、を備える。
【００４７】
投稿情報出力部５０Ｃは、基本的には、受信部７８にて受信した前記別のユーザの種別付き投稿情報Ｉｐｘから情報種別判別・保存期限表６０を参照して、音声出力すべき及びアイコンｉｃを表示出力すべき投稿情報Ｉｐを判別し、通信インタフェース６２、７２、ＥＣＵ７４を介して車載ディスプレイ３０上に出力（アイコンｉｃを含む表示）し、車載スピーカ１５６から音声出力（音声再生）する。
【００４８】
クライアント端末１２、１２Ａ、１２Ｂは、さらに、地図情報（スポット情報を含む）を格納し処理する地図情報処理部８０を備える。地図情報処理部８０は、クライアント端末１２（車両１８）の位置、進行方向を特定する位置取得部としてＧＰＳ装置８２（測位装置）を備える。
【００４９】
なお、この実施形態では、理解の便宜のために、クライアント端末１２のタッチパネル５８、ディスプレイ５４と、車載端末１４のタッチパネル１５８、車載ディスプレイ３０とは、同様の表示がなされ、例えば、図３に示すように、基本的には、画面の大半を占める中央部が、地図（クライアント端末１２が地図情報処理部８０に保持する地図）や操作ガイドが表示される地図・操作画面（地図画面と操作画面）３０ａに割り当てられ、画面の下部は、利用状態（使用状態）で変化するアイコン（後述）等を表示するアイコン表示画面３０ｂに割り当てられ、画面の上部は、タイトル表示画面３０ｃに割り当てられる。
【００５０】
車載端末１４は、クライアント端末１２の地図情報処理部８０に格納されている地図も車載ディスプレイ３０の地図・操作画面３０ａに表示することができるようになっている。
【００５１】
この場合、クライアント端末１２のディスプレイ５４上に表示される画面が、例えば、９０゜回転され、異なるアスペクト比で車載ディスプレイ３０上に画面表示されるが、以下、煩雑となるのを回避するために、クライアント端末１２のディスプレイ５４上に表示される画面を参照し、当該画面が、車載端末１４の車載ディスプレイ３０に画面表示されているものとして説明する。
【００５２】
基本的には、以上のように構成されるこの実施形態に係る投稿システム１６の動作について、次に、Ａ．［投稿処理（録音処理）］に対応する図５のシーケンス図兼用フローチャート、Ｂ．［投稿情報の消去処理］に対応する図１３のフローチャート、及びＣ．［投稿情報の表示・（音声）再生処理］に対応する図１４のシーケンス図兼用フローチャートを参照してそれぞれ説明する。
【００５３】
なお、クライアント端末１２（１２Ａ、１２Ｂ）側のフローチャートに係るプログラムの実行主体は、クライアント端末１２のＥＣＵ５０内の投稿情報受付部５０Ａ、情報種別付与部５０Ｂ、及び投稿情報出力部５０Ｃであり、サーバ１０側のフローチャートに係るプログラムの実行主体は、投稿情報管理部４２である。
【００５４】
Ａ．［投稿処理（録音処理）］
図５のステップＳ１にて、投稿情報受付部５０Ａは、車載端末１４のタッチパネル１５８上での既定のタッチ操作により投稿情報アプリケーションにログインされたことを検出すると、車載ディスプレイ３０上に、図６に示す、車両１８の現在位置（車両１８の自車位置アイコン１８ｉ参照）を中心等とした地図・操作画面３０ａと、アイコン表示画面３０ｂと、タイトル表示画面３０ｃとからなるトップ画面３０Ｔを表示する。
【００５５】
トップ画面３０Ｔの地図・操作画面３０ａ中の右下部には、地図を拡大縮小する縮尺可変ボタン３１（「＋」と表示された地図拡大ボタン３１ａと、「−」と表示された地図縮小ボタン３１ｂ）が表示されている。
【００５６】
トップ画面３０Ｔのアイコン表示画面３０ｂには、マイクアイコン（録音ボタンともいう。）２００及びユーザグループアイコン２０１が表示されている。なお、ユーザグループアイコン２０１は、ユーザが既定のユーザグループに加わっているときに表示される。
【００５７】
次いで、ステップＳ２にて、図６のトップ画面３０Ｔのアイコン表示画面３０ｂ中に表示されたマイクアイコン（録音ボタン）２００にユーザがタッチ（押下）したことを、ＥＣＵ７４、通信インタフェース７２、及び通信インタフェース６２を通じてＥＣＵ５０の投稿情報受付部５０Ａが検出すると、投稿情報受付部５０Ａは、図７に示す録音画面３０Ｒを表示し、ステップＳ３にて、ユーザが車載マイクロフォン１５２に向かって発声した音声（投稿情報）のローカルキャッシュ（投稿情報受付部５０Ａが記憶部５０Ｄに投稿情報Ｉｐとして記憶すること）を開始する。
【００５８】
図７に示した録音画面３０Ｒには、録音中マーク２２５、既定の制限時間内に録音してもらうため、且つ、前記制限時間を上回った場合にはそこまでの音声を保存するための録音時間２２６、録音中の音量を示す録音音量目盛２２７、及び投稿録音が終了した場合にユーザが押下する（タップする）ＯＫボタン２２８が表示される。なお、録音画面３０Ｒ以降に表示される画面では、図６のトップ画面３０Ｔに戻るための「×」印で示す閉じるボタン２１０が表示される。
【００５９】
次いで、ステップＳ４にて、ＯＫボタン２２８がタップされたこと、又は制限時間をタイムアウトしたことが検出されると、ステップＳ５にて、投稿情報受付部５０Ａは、図８に示す「あしおとのタイプを選択」するための、あしおと録音画面（シーン選択画面）３０Ｓを表示する。なお「あしおと」（足音）とは、比喩的に物事の訪れる気配をいう。
【００６０】
図８に示したあしおと録音画面３０Ｓでは、図４の情報種別判別・保存期限表６０を参照して説明した［大分類］に対応する、つぶやきをユーザグループで共有するためのつぶやきボタン２０２と、交通情報をユーザグループで共有するための交通ボタン２０４と、場所・施設情報をユーザグループで共有するためのスポットボタン２０６と、トップ画面３０Ｔに戻るためのキャンセル（Ｃａｎｃｅｌ）ボタン２０８と、が地図・操作画面３０ａに表示される。
【００６１】
図８のあしおと録音画面３０Ｓでつぶやきボタン２０２にタッチしたことが検出された場合には、図９に示すあしおと録音画面３０Ｓｆｍが表示される。
【００６２】
あしおと録音画面３０Ｓｆｍでは、気持ちボタン２１２と思い出ボタン２１４が表示される。
【００６３】
図８のあしおと録音画面３０Ｓで交通ボタン２０４にタッチしたことがＥＣＵ５０にて検出された場合には、図１０に示すあしおと録音画面３０Ｓｔｃが表示される。
【００６４】
あしおと録音画面３０Ｓｔｃでは、交通集中に係わる渋滞ボタン２１６と、混雑ボタン２１８と、道路工事ボタン２２０が表示される。
【００６５】
さらに、図８のあしおと録音画面３０Ｓでスポットボタン２０６にタッチしたことがＥＣＵ５０にて検出された場合には、図１１に示すあしおと録音画面３０Ｓｓが表示される。
【００６６】
あしおと録音画面３０Ｓｓでは、クライアント端末１２（車両１８）の現在地近傍における、ユーザがあしおとを残したいスポット（場所）を選択するためのスポット選択ボタン２２１〜２２４（Ａビルディング、Ｂコーヒー店、Ｃ駅東口、Ｄ店）が表示される。
【００６７】
図９〜図１１に示したあしおと録音画面３０Ｓｆｍ、３０Ｓｔｃ、３０Ｓｓの表示時に、いずれかのボタン（気持ちボタン２１２、思い出ボタン２１４、渋滞ボタン２１６、混雑ボタン２１８、道路工事ボタン２２０、及びスポット選択ボタン２２１〜２２４中のいずれかのボタン）にタッチしたことがＥＣＵ５０にて検出されると、情報種別付与部５０Ｂは、記憶部５０Ｄに一時的に録音記憶されている音声情報（音声データ）である投稿情報Ｉｐに対して、ボタン｛気持ちボタン２１２、思い出ボタン２１４、渋滞ボタン２１６、混雑ボタン２１８、道路工事ボタン２２０、スポットボタン２０６（スポット選択ボタン２２１〜２２４）のいずれかのボタン｝の押下履歴に基づき、図４の情報種別判別・期限表６０を参照して、情報種別Ｘ（あしおとタイプ）を紐付ける（情報種別Ｘを選択する。）。
【００６８】
図１２は、理解の便宜のために、詳細分類に係るアイコンｉｃ｛気持ちボタン２１２、思い出ボタン２１４、渋滞ボタン２１６、混雑ボタン２１８、道路工事ボタン２２０、スポットボタン２０６｝と情報種別Ｘとの対応関係を示すアイコンの説明図である。なお、図１２では、大分類に係るアイコンｉｃａ（つぶやきボタン２０２、交通ボタン２０４、スポットボタン２０６）と詳細分類に係るアイコンｉｃとの対応関係も合わせて描いている。
【００６９】
次いで、ステップＳ６にて、情報種別付与部５０Ｂは、投稿情報Ｉｐに特定した情報種別Ｘを付与した種別付き投稿情報Ｉｐｘを生成する。
【００７０】
この場合、種別付き投稿情報Ｉｐｘには、位置情報、録音日時情報（ＥＣＵ５０のカレンダタイマ情報）、情報種別Ｘ、及び本体情報である音声情報Ｉｐが含まれる。種別付き投稿情報Ｉｐｘを次の（１）式に示すように表す。
Ｉｐｘ＝Ｉｐｘ（録音位置、録音日時、情報種別、音声情報、クライアント端末情報）                    …（１）
【００７１】
なお、クライアント端末情報は、ＩＰアドレス等である。
【００７２】
さらに、ステップＳ６にて、生成した種別付き投稿情報Ｉｐｘを、クライアント端末１２の送信部７６からネットワーク２６を介してサーバ１０に送信する。以下、ステップＳ２に戻り、トップ画面３０Ｔを表示する。
【００７３】
サーバ１０の投稿情報管理部４２は、ステップＳ１１にて、クライアント端末１２から受信部４０を通じて、種別付き投稿情報Ｉｐｘを受信する。この場合、サーバ１０には、他のユーザであるクライアント端末１２Ａ、１２Ｂから別の種別付き投稿情報Ｉｐｘも受信する。
【００７４】
次いで、ステップＳ１２にて、投稿情報管理部４２は、種別付き投稿情報Ｉｐｘを記憶部３８に記憶保存する。
【００７５】
Ｂ．［投稿情報の消去処理］
図１３のステップＳ２１にて、サーバ１０の投稿情報管理部４２は、記憶部３８から種別付き投稿情報Ｉｐｘを読み出し、ステップＳ２２にて、種別付き投稿情報Ｉｐｘから情報種別Ｘを特定する。
【００７６】
次いで、ステップＳ２３にて、投稿情報管理部４２は、情報種別判別・保存期限表６０を参照し、情報種別Ｘに対応する保存期限Ｔｒを決定する。
【００７７】
次いで、ステップＳ２４にて、種別付き投稿情報Ｉｐｘの保存期間を次の（２）式により算出する。
保存期間＝録音日時＋保存期限Ｔｒ                              …（２）
【００７８】
ステップＳ２５にて、さらに、種別付き投稿情報Ｉｐｘが次の（３）式を満足するか否かを判定する。
現在日時≧保存期間（録音日時＋保存期限Ｔｒ）                  …（３）
【００７９】
投稿情報管理部４２は、現在日時が保存期間を過ぎている（ステップＳ２５：ＹＥＳ）場合には、ステップＳ２６にて、記憶部３８から保存期間が過ぎている種別付き投稿情報Ｉｐｘを消去してステップＳ２１に戻り、投稿情報Ｉｐの消去管理処理を継続する。
【００８０】
ステップＳ２５にて、現在日時が保存期間を過ぎていない｛ステップＳ２５：ＮＯ、現在日時＜保存期間（録音日時＋保存期限Ｔｒ）｝場合には、その種別付き投稿情報Ｉｐｘを消去しないで、ステップＳ２１に戻り、投稿情報Ｉｐの消去管理処理を継続する。
【００８１】
Ｃ．［投稿情報の表示・（音声）再生処理］
図６に示したトップ画面３０Ｔが表示されているときに、図１４のステップＳ３１にて、クライアント端末１２の投稿情報出力部５０Ｃは、地図表示範囲の変更があるか否かを判定する。なお、地図表示範囲の変更があるか否かは、車両１８の移動や縮尺可変ボタン３１の押下操作の検出により判定され、車両１８の所定量以上の移動や押下操作を検出した（ステップＳ３１：ＹＥＳ）場合に、投稿情報出力部５０Ｃは、変更後の地図表示範囲を送信部７６、ネットワーク２６を通じて、サーバ１０の受信部４０を介して投稿情報管理部４２に送信する。
【００８２】
ステップＳ４１にて、クライアント端末１２からの新たな地図表示範囲を受信した投稿情報管理部４２は、ステップＳ４２にて、記憶部３８から新たな前記地図表示範囲内の別のクライアント端末１２Ａ、１２Ｂにより記憶された種別付き投稿情報Ｉｐｘ（録音位置、録音日時、情報種別、クライアント端末情報）（ここでは、音声を含まない。）を、投稿情報Ｉｐｘの録音位置を参照して抽出する。
【００８３】
抽出した別のクライアント端末１２Ａ、１２Ｂの種別付き投稿情報Ｉｐｘを、ステップＳ４３にて、送信部４４、ネットワーク２６、車両１８内のクライアント端末１２の受信部７８を介して投稿情報出力部５０Ｃに送信する。
【００８４】
ステップＳ３３にて、投稿情報出力部５０Ｃは、別のクライアント端末１２Ａ、１２Ｂの種別付き投稿情報Ｉｐｘを受信し、ステップＳ３４にて、種別付き投稿情報Ｉｐｘ中の情報種別Ｘに応じたアイコンｉｃ（図１２参照）を選択する。
【００８５】
上述したように、アイコンｉｃは、情報種別Ｘｆに対応して「気持ち」を表す気持ちアイコンｉｃｆ、情報種別Ｘｍに対応して「思い出」を表す思い出アイコンｉｃｍ、情報種別Ｘｔｊに対応して「渋滞」を表す渋滞アイコンｉｔｊ、情報種別Ｘｔｋに対応して「混雑」を表す混雑アイコンｉｔｋ、情報種別Ｘｃに対応して「道路工事」を表す道路工事アイコンｉｃｃ、情報種別Ｘｓに対応して「スポット」を表すスポットアイコンｉｃｓが情報種別判別・保存期限表６０（図４参照）に記憶されている。
【００８６】
次いで、図１４のフローチャートにもどり、ステップＳ３５にて、投稿情報出力部５０Ｃは、図１５に示すように、車載ディスプレイ３０のトップ画面３０Ｔａの地図中、ステップＳ３１で選択された地図表示範囲２５０内であって、投稿情報Ｉｐで特定される位置（録音位置）上に、選択（特定）したアイコンｉｃを含む、あしおと再生ボタン２５１〜２５４を表示する。
【００８７】
図１５には、地図・操作画面３０ａの下側から気持ち再生ボタン２５１、思い出再生ボタン２５２、スポット再生ボタン２５３、及び思い出再生ボタン２５４が、自車位置アイコン１８ｉと共に、表示されている。なお、気持ち再生ボタン２５１、思い出再生ボタン２５２、スポット再生ボタン２５３、及び思い出再生ボタン２５４の地図・操作画面３０ａ（地図）上の表示位置は、投稿情報出力部５０Ｃが種別付き投稿情報Ｉｐｘに含まれる録音位置を参照して決定している。
【００８８】
ステップＳ３６にて、図１５に示すトップ画面３０Ｔａの表示中に、ユーザ所望のあしおと再生ボタン２５１〜２５４が押下されたか否かが投稿情報出力部５０Ｃにより判定され、押下されなかった（ステップＳ３６：ＮＯ）場合には、ステップＳ３１に戻り、再び、ステップＳ３５まで、車両１８の位置の移動に対応してあしおと再生ボタン２５１〜２５４の表示画面（トップ画面３０Ｔａ）を更新する。
【００８９】
ステップＳ３６にて、地図上に表示されたあしおと再生ボタン２５１〜２５４中、ユーザ所望のあしおと再生ボタン２５１〜２５４が押下される（ステップＳ３６：ＹＥＳ）と、ステップＳ３７にて押下したポイントに該当する種別付き投稿情報Ｉｐｘの音声情報Ｉｐのダウンロード要求がクライアント端末１２からサーバ１０に送信される。
【００９０】
サーバ１０のステップＳ４４にて、投稿情報管理部４２は、種別付き投稿情報Ｉｐｘの音声情報Ｉｐのダウンロード要求を受信し、ステップＳ４５にて要求された種別付き投稿情報Ｉｐｘの音声情報Ｉｐを記憶部３８から読み出し、クライアント端末１２に送信する。
【００９１】
クライアント端末１２の投稿情報出力部５０Ｃは、ステップＳ３８にて受信した種別付き投稿情報Ｉｐｘの音声情報ＩｐをステップＳ３９にて、車載スピーカ１５６から音声出力（あしおと音声再生）させる。例えば、気持ち再生ボタン２５４が押下された場合、「とてもおいしい餃子屋、見つけた」と音声出力（あしおと音声再生）する。
【００９２】
なお、アイコンｉｃを含む、あしおと再生ボタン２５１〜２５４は、保存期限Ｔｒ（出力期限）を満たしている間、地図上に表示可能な種別付き投稿情報Ｉｐｘであるが、保存期限Ｔｒ（出力期限）が満了すると、アイコンｉｃを含む、あしおと再生ボタン２５１〜２５４は、サーバ１０上で該当する種別付き投稿情報Ｉｐｘが消去される（ステップＳ２６）結果、クライアント端末１２（１２Ａ、１２Ｂ）に送信（ステップＳ４３）されなくなり、クライアント端末１２（１２Ａ、１２Ｂ）及び／又は車載端末１４（１４）のディスプレイ５４（車載ディスプレイ３０）の地図上に表示されなくなる。もちろん、スピーカ５６（車載スピーカ１５６）から音声出力もされなくなる。
【００９３】
［実施形態のまとめ］
上述した実施形態に係る投稿システム１６は、クライアント端末１２のユーザからの投稿情報Ｉｐを受け付け、又はクライアント端末１２のユーザに対して別のクライアント端末１２Ａ、１２Ｂのユーザの投稿情報Ｉｐを提供するクライアント端末１２と、投稿情報Ｉｐを管理するサーバ１０とから構成される。
【００９４】
クライアント端末１２は、前記ユーザからの投稿情報Ｉｐを受け付ける投稿情報受付部５０Ａと、投稿情報Ｉｐに対して情報種別Ｘを紐づけ、種別付き投稿情報Ｉｐｘを生成する情報種別付与部５０Ｂと、種別付き投稿情報Ｉｐｘをサーバ１０に送信する送信部７６（クライアント側送信部）と、サーバ１０より別のユーザの種別付き投稿情報Ｉｐｘを受信する受信部７８（クライアント側受信部）と、前記別のユーザの投稿情報Ｉｐを出力する投稿情報出力部５０Ｃと、を備え、サーバ１０は、クライアント端末１２、１２Ａ、１２Ｂから種別付き投稿情報Ｉｐｘを受信する受信部４０（サーバ側受信部）と、種別付き投稿情報Ｉｐｘを管理し、記憶する投稿情報管理記憶部（記憶部３８と投稿情報管理部４２）と、前記別のユーザの種別付き投稿情報Ｉｐｘを送信する送信部４４（サーバ側送信部）と、を備え、投稿情報管理部４２は、種別付き投稿情報Ｉｐｘの情報種別Ｘに応じた保存期限Ｔｒに基づいて、種別付き投稿情報Ｉｐｘ（投稿情報Ｉｐ）の消去を行う。
【００９５】
このように、クライアント端末１２、１２Ａ、１２Ｂの情報種別付与部５０Ｂが、ユーザからの投稿情報Ｉｐを情報種別Ｘと紐づけ、これをサーバ１０の投稿情報管理部４２が、記憶部３８に記憶（記録）した後、投稿情報管理部４２は、投稿情報Ｉｐの情報種別Ｘに応じた既定の保存期限Ｔｒに基づいて、種別付き投稿情報Ｉｐｘ（投稿情報Ｉｐ）の消去を行うようにしたので、現在の交通状況等に即しない、且つ、ユーザ（人）の現在の感性に適合しない種別付き投稿情報Ｉｐｘ（投稿情報Ｉｐｘ）が消去される確率が高くなる結果、現在の交通状況等に即した種別付き投稿情報Ｉｐｘ（投稿情報Ｉｐ）を出力すること、又は、ユーザ（人）の現在の感性に対してリアルタイム感のある種別付き投稿情報Ｉｐｘ（投稿情報Ｉｐ）を車載スピーカ１５６及び車載ディスプレイ３０（スピーカ５６及びディスプレイ５４）に出力することができる。
【００９６】
例えば、情報種別Ｘを、「気持ち」に関する情報種別Ｘｆと、「思い出」に関する情報種別Ｘｍとした場合、投稿情報管理部４２は、情報種別Ｘｆ「気持ち」（Ｔｒ＝１日）よりも情報種別Ｘｍ「思い出」（Ｔｒ＝１０年）の保存期限Ｔｒを長く設定することで、物事に対して感ずる心のあり方としての、瞬間の「気持ち」の情報種別Ｘｆを紐付けた投稿情報Ｉｐは相対的に早めに消去されて表示されなくなる一方、後々まで思い出しても楽しくなることとしての「思い出」の情報種別Ｘｍを紐づけた投稿情報Ｉｐは相対的に長い時間・期間保存されるので、いつまでも表示し、音声出力することができる。
【００９７】
同様に、前記情報種別を、「交通集中情報」に関する情報種別Ｘｔと、「道路工事情報」に関する情報種別Ｘｃとした場合、投稿情報管理部４２は、情報種別Ｘｔ「交通集中情報」（Ｔｒ＝３０分）よりも情報種別Ｘｃ「道路工事情報」（Ｔｒ＝１日）の保存期限Ｔｒを長く設定することで、一時的な「交通集中情報」は相対的に早めに消去されることとなり、その一方、期間終了までの期間の相対的に長い「道路工事情報」は比較的に長い時間・期間の間、表示し、音声出力することができる。
【００９８】
この場合、クライアント端末１２を車載端末１４に接続し、投稿情報Ｉｐを車載ディスプレイ３０に表示し、車載スピーカ１５６で音声出力（音声再生）することとすれば、車両の運転手等の乗員ユーザは、投稿情報Ｉｐを、一般には、クライアント端末１２に比較して広い画面で且つクリアな音声で視聴することができる。
【００９９】
［変形例］
この変形例では、クライアント端末１２、１２Ａ、１２Ｂの投稿情報出力部５０Ｃで、投稿情報Ｉｐの情報種別Ｘに応じた出力期限（例えば、上記保存期限Ｔｒ）に基づいて、出力期限（上記保存期限Ｔｒ）を満たす｛上記（３）式に係わる現在日時＜保存期間（録音日時＋保存期限Ｔｒ）｝投稿情報Ｉｐを表示し音声出力するように構成する。
【０１００】
すなわち、この変形例に係るクライアント端末１２は、クライアント端末１２のユーザからの投稿情報Ｉｐを受け付け、又はクライアント端末１２のユーザに対してクライアント端末１２Ａ、１２Ｂの別のユーザの投稿情報Ｉｐを提供するクライアント端末１２である。
【０１０１】
この場合、クライアント端末１２は、クライアント端末１２のユーザからの投稿情報Ｉｐを受け付ける投稿情報受付部５０Ａと、投稿情報Ｉｐに対して情報種別Ｘを紐づけ、種別付き投稿情報Ｉｐｘを生成する情報種別付与部５０Ｂと、種別付き投稿情報Ｉｐｘをサーバ１０に送信する送信部７６（クライアント側送信部）と、サーバ１０より別のクライアント端末１２Ａ、１２Ｂのユーザの種別付き投稿情報Ｉｐｘを受信する受信部７８（クライアント側受信部）と、別のクライアント端末１２Ａ、１２Ｂのユーザの投稿情報Ｉｐを出力する投稿情報出力部５０Ｃと、を備え、投稿情報出力部５０Ｃは、投稿情報Ｉｐの情報種別ｘに応じた出力期限（例えば、上記保存期限Ｔｒ）に基づいて、出力期限（上記保存期限Ｔｒ）を満たす｛上記（３）式に係わる現在日時＜保存期間（録音日時＋保存期限Ｔｒ）｝投稿情報Ｉｐを表示し、音声出力するように構成する。
【０１０２】
この構成により、現在の状況に即しない、且つ、ユーザ（人）の現在の感性に適合しない投稿情報Ｉｐが出力されない確率が高くなる結果、現在の交通状況等に即した投稿情報Ｉｐ、又は、ユーザ（人）の現在の感性に適合した投稿情報Ｉｐをディスプレイ５４に表示し、スピーカ５６で音声出力することができる。
【０１０３】
なお、この発明は、上述の実施形態に限らず、この明細書の記載内容に基づき、種々の構成を採り得ることはもちろんである。
【符号の説明】
【０１０４】
１０…サーバ
１２、１２Ａ、１２Ｂ…クライアント端末  １４、１４Ａ…車載端末
１６…投稿システム                      ３０…車載ディスプレイ
３８…記憶部                            ４２…投稿情報管理部
５０Ａ…投稿情報受付部                  ５０Ｂ…情報種別付与部
５０Ｃ…投稿情報出力部                  ５４…ディスプレイ
５６…スピーカ                          １５６…車載スピーカ
Ｉｐ…投稿情報（音声情報）              Ｉｐｘ…種別付き投稿情報
Ｘ…情報種別
【図１】
2015036880.tif 000003
【図２】
2015036880.tif 000004
【図３】
2015036880.tif 000005
【図４】
2015036880.tif 000006
【図５】
2015036880.tif 000007
【図６】
2015036880.tif 000008
【図７】
2015036880.tif 000009
【図８】
2015036880.tif 000010
【図９】
2015036880.tif 000011
【図１０】
2015036880.tif 000012
【図１１】
2015036880.tif 000013
【図１２】
2015036880.tif 000014
【図１３】
2015036880.tif 000015
【図１４】
2015036880.tif 000016
【図１５】
2015036880.tif 000017